(57)【要約】【課題】複数の機器に時間差を発生させないように制御可能とすると共に装置の簡素化が可能なトイレ装置の通信装置を提供する。【解決手段】制御信号に基づいて衛生洗浄処理を実行する洗浄機能手段を有するトイレ装置を複数設置し、該複数のトイレ装置に対し、無線式の通信を行う遠隔操作手段を有するトイレ装置の通信装置において、上記遠隔操作手段は各々のトイレ装置を識別するための個別識別コードとは別に複数のトイレ装置に共通に認識可能な識別コードを送信するデータ送信部を備え、上記トイレ装置は各々のトイレ装置を識別するための個別識別コードとは別に複数のトイレ装置に共通な識別コードを認識する手段を備えるようにした。【選択図】　図１
2004092054.tif 000002
【特許請求の範囲】
【請求項１】
制御信号に基づいて衛生洗浄処理を実行する洗浄機能手段を有するトイレ装置を複数設置し、該複数のトイレ装置に対し、無線式の通信を行う遠隔操作手段を有するトイレ装置の通信装置において、上記遠隔操作手段は各々のトイレ装置を識別するための個別識別コードとは別に複数のトイレ装置に共通に認識可能な識別コードを送信するデータ送信部を備え、上記トイレ装置は各々のトイレ装置を識別するための個別識別コードとは別に複数のトイレ装置に共通な識別コードを認識する手段を備えていることを特徴とするトイレ装置の通信装置。
【発明の詳細な説明】
【０００１】
【発明の属する技術分野】
本発明は、公共施設などに連立して設置されたトイレ装置に係り、特に保守作業に好適な通信装置に関する。
【０００２】
【従来の技術】
従来、特開平９−４７６号に見られるものは、以下の通りである。
制御信号に基づいて衛生洗浄処理を実行する洗浄機能手段を有する衛生洗浄装置において複数の識別コードを含んだコードを送信することにより複数の衛生洗浄装置を制御すること可能にしている。
【０００３】
【発明が解決しようとする課題】
従来の衛生洗浄装置の通信装置では、個別識別コードを複数設定する必要があり複数の機器全てに送信する場合に時間を要するため最初に識別コードを受信したトイレ装置と最後に識別コードを受信したトイレ装置では制御に時間差が発生する場合がある。また個別識別コードを複数含む送信側識別コードを設定する送信側識別コード設定手段を必要としていたため装置が複雑化する可能性があった。
【０００４】
本発明は、上記課題を解決するためになされたもので、本発明の目的は、複数の機器に時間差を発生させないように制御可能とすると共に装置の簡素化が可能なトイレ装置の通信装置を提供することにある。
【０００５】
【課題を解決するための手段】
上記目的を達成するために請求項１は、制御信号に基づいて衛生洗浄処理を実行する洗浄機能手段を有するトイレ装置を複数設置し、該複数のトイレ装置に対し、無線式の通信を行う遠隔操作手段を有するトイレ装置の通信装置において、上記遠隔操作手段は各々のトイレ装置を識別するための個別識別コードとは別に複数のトイレ装置に共通に認識可能な識別コードを送信するデータ送信部を備え、上記トイレ装置は各々のトイレ装置を識別するための個別識別コードとは別に複数のトイレ装置に共通な識別コードを認識する手段を備えていることを特徴とするトイレ装置の通信装置であり全てのトイレ装置に時間差を発生することなく制御可能とすると共に装置を簡素化することができる。
【０００６】
【発明の実施の形態】
トイレ装置の一例として衛生洗浄装置について説明する。
本発明の遠隔操作手段は、複数の衛生洗浄装置に対して通信を行なうことにより、衛生洗浄装置の洗浄機能手段に衛生洗浄処理を実行させる。遠隔操作手段は、複数のトイレ装置に共通に認識可能な識別コードを含んでいる送信側識別コードを含んだコードを送信する、データ送信部を備えており、複数の衛生洗浄装置は、送信信号に、自己を指定する個別識別コードが含まれていると判定したときにまたは、複数のトイレ装置に共通に認識可能な識別コードが含まれていると判断したときは、その衛生洗浄処理を実行する。したがって、送信側識別コードに、共通に認識可能な識別コードを任意に含ませることにより、複数の衛生洗浄装置を同時に制御することができる。
【０００７】
なお、衛生洗浄機能としては、衛生洗浄装置に含まれている各種の機能が該当し、例えば、洗浄用ノズルから噴出される洗浄水の温度制御、便座用ヒータの加熱制御、等の各種の制御が含まれる。
【０００８】
【実施例】
以上説明した本発明の構成・作用を一層明らかにするために、以下本発明の好適な実施例について説明する。
【０００９】
図１は衛生洗浄装置１０を装着した洋式便器を示す外観図である。衛生洗浄装置１０は、便器本体５に装着されるものであり、ケーシング本体１１と、ケーシング本体１１に装着された洗浄水を局部に噴出するノズル装置１２と、ケーシング本体１１の側部に設けられた操作部２０と、衛生洗浄装置１０を遠隔操作するための個別制御リモートコントローラ２００と、を備えている。また、衛生洗浄装置１０には、便座用ヒータ１５ａを内蔵する便座１５が軸支されている。
【００１０】
図２は衛生洗浄装置１０の温水／ノズル制御装置１４を示すブロック図である。温水／ノズル制御装置１４は、図１で示す操作部２０や、個別制御リモートコントローラ２００の操作にしたがって温水の吐水の有無やノズル装置１２のノズル位置等の制御を実行する。また、衛生洗浄装置１０は、公共の場所などに、複数連立して設置した場合に、これらを同時に制御するための集中制御リモートコントローラ３００（図１参照）によっても制御される。
【００１１】
まず、衛生洗浄装置１０の温水／ノズル制御装置１４について簡単に説明する。温水／ノズル制御装置１４は、水道に接続された給水経路２８と、給水経路２８に接続されかつその水圧を所定圧に減圧する減圧弁や電磁式開閉弁等を含むバルブユニット３０と、バルブユニット３０から供給された洗浄水を所定の温度に加熱する熱交換ユニット３２と、熱交換ユニット３２から供給された洗浄水を所定の流量に調節する流量調節ユニット３４と、流量調節ユニット３４から送られる洗浄水を吐水／止水する開閉弁３６等を備えている。また、開閉弁３６には、上記ノズル装置１２を構成する洗浄用ノズル４０が接続されている。この洗浄用ノズル４０は、吐水位置を変更するように進退させる駆動装置４１が設けられている。これらは、図３に示す電子制御部１００により制御される。
【００１２】
図３は衛生洗浄装置１０の電子制御部１００及びその周辺装置を示すブロック図である。電子制御部１００は、予め設定された制御プログラムに従って洗浄水の温度等を制御するための各種演算処理を実行するＣＰＵ１０２と、ＣＰＵ１０２で各種演算処理を実行するのに必要な制御プログラムや制御データ等が予め格納されたＲＯＭ１０４と、同じくＣＰＵ１０２で各種演算処理を実行するのに必要な各種データが一時的に読み書きされるＲＡＭ１０６と、非通電状態でもデータを記憶しているバックアップＲＡＭ１０８と、受信回路１１０によって受信された個別制御リモートコントローラ２００からの信号や、衛生洗浄装置１０に付属する各種のセンサやスイッチからの信号を入力としてＣＰＵ１０２の処理可能な信号に変換する入力処理回路１１２と、ＣＰＵ１０２での演算結果に応じてバルブユニット３０や発信回路１２０等に信号を出力する出力処理回路１１４等を備えている。
【００１３】
なお、上記バックアップＲＡＭ１０８は、内蔵電池によりバックアップされるもの、フラッシュメモリなど電気的に書込・読み出し可能なデバイスであり、電源遮断時にもそのデータが消去されない各種の装置を適用できる。
【００１４】
次に、上記温水／ノズル制御装置１４の概略動作について説明する。
図１に示す便座１５に使用者が座り、操作部２０を操作してお尻洗浄を指令すると、電子制御部１００が駆動装置４１を駆動して洗浄用ノズル４０を洗浄位置まで前進させ、バルブユニット３０や開閉弁３６等の通路を開いて、洗浄用ノズル４０を通じて洗浄水の噴出を開始する。そして、洗浄終了後、操作部２０の操作で洗浄の終了を指示すると、電子制御部１００が開閉弁３６を閉じて洗浄水の噴出を終了し、その後、駆動装置４１を逆転させて洗浄用ノズル４０を収納位置に退避する。なお、便座１５には、便座用ヒータ１５ａが設けられ、便座面を適温に保持している。
【００１５】
次に、衛生洗浄装置１０を遠隔操作する通信装置について説明する。
図４は衛生洗浄装置１０の各々に搭載された個別制御リモートコントローラ２００を示すブロック図、図５は複数の衛生洗浄装置１０に対して通信する集中制御リモートコントローラ３００を示すブロック図である。通信装置は、公共施設等のトイレに洋式便器を連立して設置した場合を考慮して、各々の衛生洗浄装置１０に個別制御リモートコントローラ２００を備えると共に、すべて又は任意に選択した複数の衛生洗浄装置１０を同時に制御する集中制御リモートコントローラ３００を備えている。
【００１６】
ところで個別制御リモートコントローラ２００は、単一の衛生洗浄装置１０に対し、通信指令するものであり図４に示すように、個別制御リモートコントローラ２００の制御回路は、ワンチップマイクロコンピュータを含む電子制御部２２０を中心に構成されている。電子制御部２２０は、ＣＰＵ２２０ａ、ＲＯＭ２２０ｂ、ＲＡＭ２２０ｃ、バックアップＲＡＭ２２０ｄを備え、そのＲＯＭ２２０ｂ内に、衛生洗浄装置１０に対して洗浄機能等を指令するための各種プログラムや、複数の種類の識別コードＣ（ＣＡ，ＣＢ，ＣＣ・・・）から１を選択的に設定するためのプログラム等が格納されている。
【００１７】
電子制御部２２０には、入力処理回路２２２を介して操作部２３０が接続されている。操作部２３０は、衛生洗浄装置１０の各種の機能を指令するための入力部２３３と、識別コードＣを設定する識別コード設定部２３４とを備えている。また、電子制御部２２０には、出力処理回路２２４を介して液晶ディスプレイ（ＬＣＤ）等の表示部２４０及び発信回路２４２が接続されている。
【００１８】
発信回路２４２は、電子制御部２２０により出力された制御信号に識別コードＣを付した送信信号Ｓ１　を作成し、この送信信号Ｓ１　を発光素子等で発光させることにより、衛生洗浄装置１０側へ光送信するものである。また、電子制御部２２０は、受信回路２３６を接続しており、衛生洗浄装置１０からの発信信号Ｓ２を受信して復調することにより、識別コードＣ及び制御信号が正常に送信されたか否かを判定するための双方向通信を行なう。
【００１９】
次に、個別制御リモートコントローラ２００の識別コードＣの設定処理について、図６のフローチャートにしたがって説明する。
図６において、識別コード設定部２３４の入力開始ボタンを押したと判定されると（ステップＳ５０）、いずれの識別コードＣ（ＣＡ，ＣＢ，ＣＣ）を設定するか否かの判定が実行される（ステップＳ５２）。そして、３つの識別コードＣＡ，ＣＢ，ＣＣに割り当てられたボタンが押されたと判定された場合には、それぞれステップ５４〜５８のいずれかに移行して、対応する識別コードＣをＲＡＭ２２０ｃに設定し、続くステップＳ６０にて、確定ボタンが押されたときに、バックアップＲＡＭ２２０ｄに、その識別コードＣＡ，ＣＢ，ＣＣのいずれかを記憶する（ステップＳ６２）。
【００２０】
なお、衛生洗浄装置１０の電子制御部１００についても、同様に識別コードＣＡ，ＣＢ，ＣＣのいずれかを設定することにより、個別制御リモートコントローラ２００により選択的に通信が可能になる。
【００２１】
一方、集中制御リモートコントローラ３００は、複数の衛生洗浄装置１０に対し、同時に通信指令するものであり図５に示すように、集中制御リモートコントローラ３００の制御回路も、ＣＰＵ３２０ａ、ＲＯＭ３２０ｂ、ＲＡＭ３２０ｃを含む電子制御部３２０を中心に構成されており、そのＲＯＭ３２０ｂ内に、上述した共通に認識可能な識別コードＣを設定するためのプログラム、節電タイマ機能等を実現するためのプログラム等が格納されている。
【００２２】
電子制御部３２０には、入力処理回路３２１を介して操作部３３２が接続されている。操作部３３２は、節電タイマを設定するためのタイマ入力部３２２ｂを備えている。タイマ入力部３２２ｂは、例えば、衛生洗浄装置１０の運転状態を設定時間にしたがってオンオフすることにより、衛生洗浄装置１０の便座用ヒータ１５ａを夜間中にオフにして節電を図るための機能である。
【００２３】
また、電子制御部３２０には、出力処理回路３２２を介して表示部３３０及び発信回路３２４が接続されている。発信回路３２４は、電子制御部３２０から出力される制御信号及び識別コードＣから送信信号Ｓ１Ｘを作成し、これを複数の衛生洗浄装置１０側へ向けて送信するものである。
【００２４】
図７は３台の衛生洗浄装置１０（１０Ａ，１０Ｂ，１０Ｃ）と、個別制御リモートコントローラ２００（２００Ａ，２００Ｂ，２００Ｃ）及び集中制御リモートコントローラ３００とにより通信している状態を説明する説明図である。図８は通信している識別コードＣと、該識別コードＣにより動作する衛生洗浄装置１０との関係を示す。各衛生洗浄装置１０Ａ，１０Ｂ，１０Ｃには、識別コードＣＡ、識別コードＣＢ、識別コードＣＣが付されている。個別制御リモートコントローラ２００Ａは、識別コードＣＡにより衛生洗浄装置１０Ａを動作させ、個別制御リモートコントローラ２００Ｂは、識別コードＣＢにより衛生洗浄装置１０Ｂを動作させ、個別制御リモートコントローラ２００Ｃは、識別コードＣＣにより衛生洗浄装置１０Ｃを動作させる。
【００２５】
一方、集中制御リモートコントローラ３００は、共通に認識可能な識別コードＣを含んだ送信信号Ｓ１Ｘを送信して、複数の衛生洗浄装置１０Ａ，１０Ｂ，１０Ｃを制御している。すなわち、集中制御リモートコントローラ３００に共通に認識可能な識別コードＣを設定することにより、衛生洗浄装置１０Ａ，１０Ｂ，１０Ｃが同時に作動する。
【００２６】
したがって、上記衛生洗浄装置１０により以下の効果が得られる。衛生洗浄装置１０（１０Ａ，１０Ｂ，１０Ｃ）及び個別制御リモートコントローラ２００（２００Ａ，２００Ｂ，２００Ｃ）には、異なった識別コードＣ（ＣＡ，ＣＢ，ＣＣ）がそれぞれ設定されているから、個別制御リモートコントローラ２００の各々は、識別コードＣに対応した衛生洗浄装置１０だけを動作指令することができる。
【００２７】
また、集中制御リモートコントローラ３００により、共通に認識可能な識別コードＣを含んだ送信信号Ｓ１Ｘを送信することにより、複数の衛生洗浄装置１０を同時に動作させることができる。したがって、複数の衛生洗浄装置１０を同時に作動させるのに、１台の集中制御リモートコントローラ３００だけを操作すればよいから、操作労力を軽減できる。しかも、集中制御リモートコントローラ３００は、送信信号Ｓ１Ｘに含まれる識別コードＣを、変更する必要が無いので操作も容易である。
【００２８】
図９は他の実施例に係る集中制御リモートコントローラ４００に搭載された停電時の復帰回路等を示すブロック図である。
図９に示すように、集中制御リモートコントローラ４００は、複数の衛生洗浄装置１０に対し、同時に通信指令するものである。集中制御リモートコントローラ４００の制御回路は、ワンチップマイクロコンピュータを含む電子制御部４２０を中心に構成されており、ＡＣ１００Ｖの商用電源にコンセント４２２を介して接続される電源回路４４０を備えている。この電源回路４４０は、電子制御部４２０等を制御するための直流電圧（例えば、５Ｖ）を作成するものである。
【００２９】
電源回路４４０には、充電回路４４１が接続されている。この充電回路４４１は、停電時に、電子制御部４２０にバックアップ電圧を供給するものである。また、電源回路４４０には、停電検出回路４４２が接続されている。この停電検出回路４４２は、停電状態を検出するものであり、停電状態となった時、又は復帰したときに、その旨を電子制御部４２０に出力するものである。
【００３０】
電子制御部４２０は、図５と同様に構成されており、ＲＯＭ内に、上述した識別コードＣを設定するためのプログラム、節電タイマ機能を実現するためのプログラム、図１１に示す停電復帰をさせるためのプログラム等が格納されている。
【００３１】
電子制御部４２０には、発信回路４２４が接続されている。発信回路４２４は、後述する図１１の停電復帰ルーチンにしたがって、オン信号またはオフ信号を受けたときに、これに識別コードＣを付した送信信号を作成し、これを衛生洗浄装置１０側へ送信するものである。
【００３２】
図１０は集中制御リモートコントローラ４００による停電時における復帰過程を説明するタイミングチャートであり、節電タイマの設定内容、商用電源の電圧、発信回路４２４からの送信信号、及び衛生洗浄装置１０の運転状態がそれぞれ示されている。
【００３３】
図１０において、節電タイマは、午前８時にオンし、午後８時にオフするように設定され、つまり、衛生洗浄装置１０の便座用ヒータ１５ａを日中に通電するオン設定時間ＴＯＮと、夜間中における通電を停止するオフ設定時間ＴＯＦＦ　とに設定されている。また、節電タイマが設定されている間に、商用電源が時点ｔ１に停電して、時点ｔ３に復帰する場合を示している。
【００３４】
節電タイマのオン設定時間ＴＯＮの開始時には、オン信号が出力され、節電タイマのオフ設定時間ＴＯＦＦ　の開始時には、オフ信号が出力される。
いま、時点ｔ１にて、停電が発生したとすると、時点ｔ２にてオン設定時間ＴＯＮに入っても、オン信号が出力されない。そして、時点ｔ３にて停電が復帰したときにオン信号が出力される。したがって、停電復帰直後に、発信回路４２４からオン信号が出力されて、衛生洗浄装置１０は運転状態になる。
【００３５】
図１０のタイミングチャートで示される処理は、図１１のフローチャートにて説明する停電復帰処理ルーチンにより実行される。
図１１において、まず、ステップＳ１０２にて、節電タイマの設定処理中であるか否かの判定が実行される。このステップＳ１０２にて、節電タイマが設定処理中であると判定された場合には、ステップＳ１０４へ進む。ステップＳ１０４の節電タイマの設定モードでは、集中制御リモートコントローラ４００の表示装置を見ながら、タイマ入力部４２２ｂを操作することにより、図１０に示すような、オン設定時間ＴＯＮ及びオフ設定時間ＴＯＦＦ　を設定する。
オン設定時間ＴＯＮは、図１０の場合では、午前８時から午後８時までの１２時間、オフ設定時間ＴＯＦＦ　は、午後８時から翌日の午前８時までの１２時間である。このように設定された節電タイマのデータは、集中制御リモートコントローラ４００のバックアップＲＡＭの所定の領域に格納される。
【００３６】
そして、ステップＳ１０４の節電タイマの設定モードが終了したときに、ステップＳ１０６にて、節電タイマが動作中であるか否かの判定が行なわれ、節電タイマが動作中でないと判定された場合には、一旦、本処理を終了する。
【００３７】
一方、ステップＳ１０２にて、節電タイマの設定処理中でないと判定されると、ステップＳ１０８にて、節電タイマが動作中であるか否かの判定が実行される。このステップＳ１０８にて、節電タイマが動作中でない場合には、ステップＳ１０２に戻り、一方、節電タイマが動作中の場合には、ステップＳ１１０へ進む。
【００３８】
ステップＳ１１０では、カウンタＣ１のインクリメントが行なわれる。このカウンタＣ１は、オン設定時間ＴＯＮ及びオフ設定時間ＴＯＦＦ　と比較するためのカウンタである。続くステップＳ１２０では、節電フラグＦＳの判定が行なわれる。節電フラグＦＳは、衛生洗浄装置１０をオンにする時間であるときには、１に設定され、オフにする時間であるときには、０にセットされるフラグである。
【００３９】
ステップＳ１２０にて、節電フラグＦＳが１にセットされていると判定された場合には、次のステップＳ１２２へ進み、カウンタＣ１がオン設定時間ＴＯＮを越えたか否かの判定が行なわれる。
カウンタＣ１がオン設定時間ＴＯＮを越えていない場合には、ステップＳ１２４にて停電中か否かの判定が実行され、停電中でない場合には、ステップＳ１２６にて、オン信号が出力される。このオン信号は、識別コードＣと共に発信回路４２４を介して衛生洗浄装置１０へ発信される。そして、次の繰り返し処理にて、ステップＳ１２２てカウンタＣ１がオン設定時間ＴＯＮを越えたと判定された場合には、カウンタＣ１がリセットされた後に（ステップＳ１２８）、節電フラグＦＳが０にセットされる（ステップＳ１３０）。
【００４０】
したがって、ステップＳ１２４の判定にて停電中には、オン設定時間ＴＯＮ中であっても、オン信号が出力されないが、停電が復帰した直後に、オン信号が出力されて、衛生洗浄装置１０が運転状態にされる。
【００４１】
一方、ステップＳ１２０にて、節電フラグＦＳが１でないと判定されたとき、つまり、衛生洗浄装置１０を運転状態にしないオフ設定時間ＴＯＦＦ　のときには、ステップＳ１４０へ進む。ステップＳ１４０では、カウンタＣ１がオフ設定時間ＴＯＦＦ　を越えているか否かが判定され、否定判定の場合には、オフ信号を出力する。このオフ信号も、オン信号と同様に、識別コードＣと合わせて発信回路４２４を通じて、衛生洗浄装置１０へ送信される。一方、ステップＳ１４０にて、カウンタＣ１がオフ設定時間ＴＯＦＦ　を越えたと判定された場合には、カウンタＣ１をクリアし（ステップＳ１４４）、節電フラグＦＳを１にセットした後に（ステップＳ１４６）、本処理を終了する。
【００４２】
したがって、上記実施例によれば、停電復帰した後に、節電タイマの設定を再度し直す必要がなく、しかも、複数の衛生洗浄装置１０を同時に制御するから、停電の復帰作業も容易である。
【００４３】
なお、図９の変形例として、集中制御リモートコントローラの電子制御部に、例えば、手動式のスライドスイッチ等からなる切替スイッチを接続してもよい。
【００４４】
なお、この発明は上記実施例に限られるものではなく、その要旨を逸脱しない範囲において種々の態様において実施することが可能であり、例えば次のような変形も可能である。
【００４５】
上記実施例では、個別制御リモートコントローラの他に、集中制御リモートコントローラを設けたが、個別制御リモートコントローラに、複数の衛生洗浄装置を同時に制御できる機能を加えてもよい。
【００４６】
【発明の効果】
以上説明したように、本発明に係る衛生洗浄装置の通信装置によれば、遠隔制御手段により、複数の個別識別コードを同時に送信することにより、１又は２以上の衛生洗浄装置を同時に制御することができる。
したがって、複数の衛生洗浄装置に衛生洗浄処理を同時に実行させるために、その衛生洗浄装置毎に操作を施す必要がなく、その操作労力を軽減できる。
【図面の簡単な説明】
【図１】衛生洗浄装置１０を搭載した洋式便器を示す外観図。
【図２】衛生洗浄装置１０に搭載された温水／ノズル制御装置１４を示すブロック図。
【図３】衛生洗浄装置１０の電子制御回路及び周辺装置を示すブロック図。
【図４】衛生洗浄装置１０の各々に搭載された個別制御リモートコントローラ２００を示すブロック図。
【図５】複数の衛生洗浄装置１０に対して通信する集中制御リモートコントローラ３００を示すブロック図。
【図６】個別制御リモートコントローラ２００に識別コードを設定する処理を示すフローチャート。
【図７】衛生洗浄装置１０に対して個別制御リモートコントローラ２００及び集中制御リモートコントローラ３００により通信している状態を説明する説明図。
【図８】リモートコントローラにより制御される衛生洗浄装置１０と識別コードとの関係を示す説明図。
【図９】他の実施例に係る集中制御リモートコントローラ３００に搭載された停電時の復帰回路等を示すブロック図。
【図１０】他の実施例に係る停電時の復帰処理を説明するためのタイミングチャート。
【図１１】他の実施例に係る停電復帰処理を説明するためのフローチャート。
【符号の説明】
５…便器本体、１０…衛生洗浄装置、
１０Ａ，１０Ｂ，１０Ｃ…衛生洗浄装置、
１１…ケーシング本体、１２…ノズル装置、
１４…温水／ノズル制御装置、１５…便座、１５ａ…便座用ヒータ、
２０…操作部、２８…給水経路、３０…バルブユニット、
３２…熱交換ユニット、３４…流量調節ユニット、３６…開閉弁、
４０…洗浄用ノズル、４１…駆動装置、
１００…電子制御部、１０２…ＣＰＵ、１０４…ＲＯＭ、
１０６…ＲＡＭ、１０８…バックアップＲＡＭ、１１０…受信回路、
１１２…入力処理回路、１１４…出力処理回路、１２０…発信回路、
２００…個別制御リモートコントローラ、
２００Ａ，２００Ｂ，２００Ｃ…個別制御リモートコントローラ、
２２０…電子制御部、２２０ａ…ＣＰＵ、２２０ｂ…ＲＯＭ、
２２０ｃ…ＲＡＭ、２２０ｄ…バックアップＲＡＭ、
２２２…入力処理回路、２２４…出力処理回路、２３０…操作部、
２３３…入力部、２３４…識別コード設定部、２３６…受信回路、
２４０…表示部、２４２…発信回路、
３００…集中制御リモートコントローラ、３２０…電子制御部、
３２０ａ…ＣＰＵ、３２０ｂ…ＲＯＭ、３２０ｃ…ＲＡＭ、
３２１…入力処理回路、３２２…出力処理回路、
３２２ａ…識別コード設定部、３２２ｂ…タイマ入力部、
３２４…発信回路、３３０…表示部、３３２…操作部、
３３６…受信回路、４００…集中制御リモートコントローラ、
４２０…電子制御部、４２２…プラグ、４２２ｂ…タイマ入力部、
４２４…発信回路、４４０…電源回路、４４１…充電回路、
４４２…停電検出回路
【図１】
2004092054.tif 000003
【図２】
2004092054.tif 000004
【図３】
2004092054.tif 000005
【図４】
2004092054.tif 000006
【図５】
2004092054.tif 000007
【図６】
2004092054.tif 000008
【図７】
2004092054.tif 000009
【図８】
2004092054.tif 000010
【図９】
2004092054.tif 000011
【図１０】
2004092054.tif 000012
【図１１】
2004092054.tif 000013